(57)【要約】      （修正有）【課題】金属製ワイヤーを用いることなく着用時のバストの保形性を向上させて自然で美しい胸元の谷間を強調することができる着用感の優れた婦人下着用のカップを提供する。【解決手段】バスト部分に装着されるカップ２は、バストの下側を覆う下側パネル部分３と、バストの上側を覆う上側パネル部分４及び少なくとも下側パネル部分に隣接し、バストの胸元部分を覆う胸元側パネル部分５とで構成されている。下側パネル部分３は、上側パネル部分４より厚みが大でカップの内側に膨出するように形成され、且つ、下側パネル部分の内面中央に上側パネル部分に向かう縦折り溝６が設けられている。胸元側パネル部分５はカップの内側に膨出するように形成され、下側パネル部分及び上側パネル部分に対して縦方向に伸びた境界面１１が、少なくとも下側パネル部分に対して壁状に形成されている。カップの脇側端部９が肩紐１０の縫着部分となっている。【選択図】図１
0003202589.tif 000002
【実用新案登録請求の範囲】
【請求項１】
バストの下側を覆う下側パネル部分と、バストの上側を覆う上側パネル部分及び上側パネル部分及び下側パネル部分の内の少なくとも下側パネル部分に隣接し、バストの胸元部分を覆う胸元側パネル部分とで構成された婦人下着のバスト部分に装着されるカップにおいて、
下側パネル部分は、上側パネル部分より厚みが大でカップの内側に膨出するように形成され、且つ、下側パネル部分の内面中央に上側パネル部分に向かう縦折り溝が設けられ、
前記胸元側パネル部分はカップの内側に膨出するように形成され、胸元側パネル部分の、下側パネル部分及び上側パネル部分に対して縦方向に伸びた境界面は下側パネル部分及び上側パネル部分の内、少なくとも下側パネル部分に対して壁状に形成され、
カップの脇側端部が肩紐のバスト側端部の縫着部分となっていることを特徴とするカップ。
【請求項２】
請求項１に記載された左右一対のカップと、左右一対のカップの下辺に縫着された下辺部材と、下辺部材を介して各カップの脇側下辺から延びるサイドパネルと、前記カップの脇側端部および前記サイドパネルの先端部分に接続された肩紐とを備えることを特徴とする婦人下着。
【請求項３】
請求項１に記載された左右一対のカップと、左右一対のカップの下辺に縫着された下辺部材と、下辺部材に縫着された前身頃及び後見頃とを備えることを特徴とする婦人下着。
【請求項４】
請求項２又は３に記載の婦人下着において、下辺部材は、ワイヤーなし且つ長手方向に対して非伸縮性のテープ状物であることを特徴とする婦人下着。
【請求項５】
請求項２又は３に記載の婦人下着において、下辺部材は、ワイヤーなしで且つ長手方向に対して非伸縮性のテープ状物と該テープ状物と左右のカップの下辺との間に帯状に設けられ、テープ状物とカップの下辺との間の拡縮方向に伸縮する調整布部とで構成されていることを特徴とする婦人下着。
【考案の詳細な説明】
【技術分野】
【０００１】
本考案はノンワイヤーであるにも拘わらず、胸元に深い谷間が形成できて美しいバストラインを現出できる新規なブラジャーやキャミソールなど、カップを備えた婦人下着に関する。
【背景技術】
【０００２】
カップを備えた婦人下着の代表例であるブラジャーは、左右一対のカップと、左右一対のカップの下縁から内側縁にかけて縫着された下辺部材と、各カップの脇側縁から延びるサイドパネルと、カップおよびサイドパネルに接続された肩紐とで形成されており、バストを支持するための金属製ワイヤーが下辺部材に沿わせてカップの下縁に設けられている（特許文献１参照）。
【０００３】
近年、ブラジャーを着用する際、カップ内に収容したバストをカップで心もち吊り上げ且つカップの胸元側に寄せて双球のバストによる谷間をカップの間に現出し、美しいバストラインを形成することが流行している。
【０００４】
処が、このブラジャーではカップの下縁の金属製ワイヤーにてバストを支持し、カップの上端を肩紐で吊り上げるだけであるため、バストの下部はカップに収納されてカップの形に添い、きれいな丸みを呈するものの、胸元に美しいバストラインを形成したり双球のバストによる谷間をカップの間に現出させるには不十分であった。
しかも、上記のようにカップの下縁にバストを支持するための金属製ワイヤーが設けられているので、サイドパネルをホックで止めて胸を締め付け、肩紐でカップのサイドを吊り上げた時、金属製ワイヤーが着用者のバスト下縁に食い込み、長時間の使用で疼痛感や不快感を与えるという問題があった。
【０００５】
また、ブラジャーにパッドを入れ、パッドの作用によりバストの形を整えるものも提案されている（特許文献２）。
このパッドは、パッドの長手方向のほぼ中心にパッドの上下方向に伸びる折り曲げ部を形成したもので、使用時に左右方向に湾曲してバストの装着時の形が非常によくなるというものである。
【先行技術文献】
【特許文献】
【０００６】
【特許文献１】特開２００４−３１６０３６号公報
【特許文献２】特開平１１−２２９２０６号公報
【考案の開示】
【考案が解決しようとする課題】
【０００７】
しかしながら、パッドはブラジャーのカップの内側に挿入されて使用されるものであるため、カップの形状や肩紐の位置によっては折り曲げ部で左右内側方向に十分折れ曲らずバストの押し上げ効果が十分発揮できないという問題があった。
本考案の主たる目的は、金属製ワイヤーを用いることなく着用時のバストの保形性を向上させて自然で美しい胸元の谷間を強調することができる着用感の優れたカップ及びこのカップを備えた新たな婦人下着を提供することにある。
【課題を解決するための手段】
【０００８】
請求項１に記載した考案は、婦人下着１のバスト部分に装着されるカップ２であって、
カップ２はバストの下側を覆う下側パネル部分３と、バストの上側を覆う上側パネル部分４及び上側パネル部分４及び下側パネル部分３の内の少なくとも下側パネル部分３に隣接し、バストの胸元部分を覆う胸元側パネル部分５とで構成され、
下側パネル部分３は、上側パネル部分４より厚みが大でカップ２の内側に膨出するように形成され、且つ、下側パネル部分３の内面中央に上側パネル部分４に向かう縦折り溝６が設けられ、
前記胸元側パネル部分５はカップ２の内側に膨出するように形成され、胸元側パネル部分５の、下側パネル部分３及び上側パネル部分４に対して縦方向に伸びた境界面１１は下側パネル部分３及び上側パネル部分４の内、少なくとも下側パネル部分３に対して壁状に形成され、
カップ２の脇側端部９が肩紐１０のバスト側端部１０ａの縫着部分となっていることを特徴とする。
【０００９】
請求項２に記載した考案は、請求項１に記載されたカップ２を用いた婦人下着（ブラジャー）１であって、
左右一対のカップ２と、左右一対のカップ２の下辺７に縫着された下辺部材１３と、下辺部材１３を介して各カップ２の脇側下辺１４から延びるサイドパネル１５と、前記カップ２の脇側端部９および前記サイドパネル１５の先端部分に接続された肩紐１０とを備える婦人下着１である。
【００１０】
請求項３に記載した考案は、請求項１に記載されたカップ２を用いた他の婦人下着（キャミソール）１であって、
左右一対のカップ２と、左右一対のカップ２の下辺７に縫着された下辺部材１３と、下辺部材１３に縫着された前身頃２０及び後見頃２１と、を備える婦人下着１である。
【００１１】
請求項４に記載した考案は、請求項２又は３に記載の婦人下着１において、下辺部材１３は、ワイヤーなし且つ長手方向に対して非伸縮性のテープ状物１３ａであることを特徴とする。
【００１２】
請求項５に記載した考案は、請求項２又は３に記載の婦人下着１において、下辺部材１３は、ワイヤーなしで且つ長手方向に対して非伸縮性のテープ状物１３ａと該テープ状物１３ａと左右のカップ２の下辺７との間に帯状に設けられ、テープ状物１３ａとカップ２の下辺７との間の拡縮方向に伸縮する調整布部１６とで構成されていることを特徴とする。
【考案の効果】
【００１３】
本考案では、分厚い下側パネル部分３の内面中央に縦折り溝６が設けられているので、カップ２が婦人下着１のバスト部分に装着して使用されると、肩紐１０で左右のカップ２が両者の胸元の連結部分１７を中心にしてカップ２の脇側端部９が吊り上げられ、縦折り溝６を中心に内側に折り曲げられる。これによってカップ２の内側に収納されているバストは縦折り溝６を中心に内側に寄せられると同時に厚みの大なる下側パネル部分３によって上に持ち上げられる。
【００１４】
この時、前述の内側に寄せられたバストの一部は胸元側に流れようとするが、カップ２の胸元側パネル部分５によって、胸元側パネル部分５の壁状の境界面１１で押し返され、その結果、美しいデコルテラインが胸元に形成されることになる。
【００１５】
加えて下辺部材１３は、ワイヤーなしの非伸縮性のテープ状物１３ａであるので、婦人下着１を着けた時、バストの下縁にぴったり沿うが金属製ワイヤーのようなバストの下縁への食い込みはなく、着用者に疼痛感や不快感を与えることがない。
【００１６】
更に、下辺部材１３の一部に調整布部１６を設けておけば、着用者のバストに合わせて調整布部１６が縦方向に伸縮し、カップ２のバストへの適合がより容易になる。換言すれば、カップ２の大きさを大中小と３種類くらいで対応できるようになり、婦人下着１の種類を減らすことが出来る。
【００１７】
以上の結果、本考案のカップを使用すれば、胸元に双球の深い谷間が形成された自然で美しいバストラインを形成でき、しかも着用者に疼痛感や不快感を与えることなくその美しいバストラインを長時間に亘って持続できるカップ付き婦人下着を提供できる。
【図面の簡単な説明】
【００１８】
【図１】本考案が適用された婦人下着を示す正面図である。
【図２】図１（ブラジャーの場合）の背面図である。
【図３】本考案が適用されたカップ部分の第１実施例の横断面の斜視図である。
【図４】本考案が適用されたカップ部分の第２実施例の横断面の斜視図である。
【図５】本考案が適用された肩紐装着部分の部分斜視図である。
【考案を実施するための形態】
【００１９】
以下、本考案を図面に従って説明する。本考案が適用された婦人下着１は、ブラジャーやキャミソールのようなカップ２を使用するものである。図１の実線部分はブラジャーを示し、ブラジャーの下辺７から体の脇に沿って引いた仮想線はキャミソールの身頃２０（２１）部分を示す。以下、ブラジャーを中心に説明するが、本考案はブラジャーカップ２を使用する婦人下着１全般に及ぶことは言うまでもない。
【００２０】
婦人下着（ブラジャー）１は、左右一対のカップ２と、左右一対のカップ２の下辺７に縫着され、ワイヤーが装着されない（ワイヤレス）の下辺部材１３と、カップ２の脇側端部９から延びる肩紐１０と、下辺部材１３を介して或いはカップ２の脇側下辺１４から延びるサイドパネル１５とで大略構成されている。
【００２１】
カップ２は、バストを覆う椀状の部材であり、いずれの場合でも内部はソフトな発泡ウレタン樹脂を加圧・加熱環境下で金型成形した１枚もので、表裏両面に薄い布地が一体的に貼り付けられ、表側には必要に応じてレース地などが縫着されている。
カップ２の形状は１種類ではなく、多種類あり、図１のように、カップ２の上辺８は上方に湾曲し、カップ２の下辺７は下方に湾曲し、カップ２の外側（脇側）では、上辺８と下辺７は離れていてストレートな辺（この部分をこの場合、脇側端部９とする。）が形成され、カップ２の胸元側では、左右のカップ２を接続する接続片部２４が設けられている。カップ２の形状は当然このようなものに限られず、図４のように、上辺８と下辺７の外側端部が上に伸び、この上に伸びた部分の端が脇側端部９となり、肩紐１０に縫着される場合もあれば、図５のように、上辺８と下辺７が外側（脇側）で一致し、上辺８の外側端部に肩紐１０に縫着され、この上辺８の外側端部が脇側端部９となる場合もある。いずれにせよ、脇側端部９は肩紐１０のカップ２への縫着部分で、肩紐１０によってカップ２の外側端部が吊り上げられる位置である。
また、接続片部２４は、本実施例ではカップ２の胸元の三角形に伸びた部分であるが、形状は三角形に限られるものでなく、互いに接続できる形状であればよい。更には、下辺部材１３のようなもので、左右のカップ２が接続できるのであれば、接続片部２４はなくてもよい。
サイドパネル１５が縫着されるカップ２の脇側下辺１４とは、カップ２の下辺７の外側端部（この部分を脇側端部７ａとする。）或いはその近傍から下辺７の中央部分７ｂに至る部分である。
【００２２】
次に、カップ２の内面形状に付いて説明する。カップ２の内面はバストの下側を覆う厚手で内側に膨出した略紡錘形状の下側パネル部分３、バストの上側を覆う薄く圧縮された上側パネル部分４及び上側パネル部分４及び下側パネル部分３の内の少なくとも下側パネル部分３に隣接し、バストの胸元部分を覆う胸元側パネル部分５とで構成されている。
【００２３】
下側パネル部分３は上側パネル部分４より大幅に厚く、下側パネル部分３と上側パネル部分４の境界部分ではカップ２の横幅全長に亘って全体的にスプーンで掬ったようになだらかに窪んでおり、この部分を窪み１２とする。窪み１２の中央部分が最も深く、この部分に一致するように下側パネル部分３の下辺７の中央から浅いＶ形の縦折り溝６が形成されている。換言すれば、縦折り溝６の上端の上側部分が最も深く窪んでいる。この最も深く窪んでいる部分に乳頭が収納される。そして、下側パネル部分３の中央部分が横幅方向で最も厚く、下辺７に向かって強く圧縮され、下辺７は全長に亘って薄く圧縮されている。
【００２４】
上側パネル部分４は、下側パネル部分３との境界部分は下側パネル部分３と連続した厚みで成形されているが、上辺８に向かって強く圧縮され、上辺８は下辺７と同様全長に亘って薄く圧縮されている。上側パネル部分４は、下側パネル部分３に比べて大きく圧縮され、全体に薄い片状である。
【００２５】
胸元側パネル部分５は、下側パネル部分３と同様、カップ２の内側に膨出するように形成され、下側パネル部分３及び上側パネル部分４に面して縦方向に伸びた胸元側パネル部分５の境界面１１は、下側パネル部分３及び上側パネル部分４の内面に対して鈍角の壁状に形成され、更に境界面１１に沿って下辺７から上辺８に至る浅い縦溝２２がカップ内面に形成される。即ち、縦折り溝６と縦溝２２の２本の浅い溝が縦方向に形成されることになる。
【００２６】
そして、カップ２胸元側には胸元側パネル部分５に隣接して三角形の接続片部２４が延出されている。この接続片部２４は上記のようにカップ２の接続方法によっては必ずしも必要ではない。なお、カップ２は接続片部２４を含め、カップ２の外縁全体が薄く圧縮されていて外縁に沿う方向の伸びは殆どない。
【００２７】
図の第１実施例では、左右のカップ２は接続片部２４が重ね合されて一体的に縫着され、これにより左右のカップ２の胸元側パネル部分５の頂点が突き合わされるように対称的に配置される。
【００２８】
このように連結された左右のカップ２の下辺７全長には下辺部材１３が縫着されている。下辺部材１３は、単なるテープ状物１３ａで構成されている場合（図示せず）と、テープ状物１３ａと調整布部１６とで構成される場合とがある。いずれの場合でもテープ状物１３ａは長手方向に対して非伸縮性であり、ワイヤーは装着されていない。前者の場合、テープ状物１３ａが左右のカップ２の下辺７全長に縫着され、後者の場合は、左右のカップ２の下辺７全長には細長い調整布部１６が縫着され、調整布部１６の下辺全長にテープ状物１３ａが縫着されることになる。調整布部１６は長手方向には伸びず、縦方向、即ち、カップ２の下辺７とテープ状物１３ａとの間を拡縮する方向に伸びる構造となっている。
【００２９】
サイドパネル１５は、婦人下着１がブラジャーの場合は、長手方向に伸縮性を有する繊維素材によって形成された厚手の帯状部材であり、サイドパネル１５の一端がカップ２の下辺７の脇側下辺１４（下辺７の脇側端部７ａ又はその近傍から中央部分７ｂ付近に至る範囲）に対応するテープ状物１３ａに縫着されている。そして、一方のサイドパネル１５の先端部には、被係止具１９が取り付けられており、他方のサイドパネル１５の先端部には、被係止具１９に係止されるフック１８が取り付けられている（図２参照）。
婦人下着１がキャミソールの場合は、図３に示すようにブラジャーのサイドパネル１５の位置に短い布片が装着されている。この部分は前身頃２０に装着されていてサイドパネルと同じ働きをするため、１５の符号を附する。
【００３０】
肩紐１０は、カップ２の位置ずれを防止するとともにカップ２に収納されたバストを持ち上げて保持するものであり、肩紐１０のバスト側端部１０ａがカップ２の脇側端部９に接続されている。脇側端部９は、前述のように色々な場合があるが、カップ２の外側端部を吊り上げると、肩紐１０の他端は図２に示すように、サイドパネル１５の先端部分の上辺に縫着される。
【００３１】
肩紐１０のバスト側端部１０ａとサイドパネル１５の間には長手方向（肩紐１０とサイドパネル１５に沿う方向）及び幅方向に伸縮性を有する細長い三角形状の補助脇布２５が２重使いで縫着されている。
【００３２】
婦人下着１を装着した状態では、カップ２がバストを保形し、肩紐１０の吊り上げ力によって、バストが持ち上げられるとともに内側へ寄せられて保持される。この点を詳述する。婦人下着（ブラジャー）１を装着すると、サイドパネル１５の締付力によってテープ状物１３ａがバージスラインに当たり、カップ２がバストを包み込む。この時、テープ状物１３ａにはワイヤーは入っていないため皮膚にソフトに接触する。テープ状物１３ａ及びカップ２の下辺７は伸びないので、バージスラインにぴったりと沿う。そして脇や背中から寄せ集められた皮下脂肪はバストとしてカップ２に収納される。カップ２の下側パネル部分３が内側に膨出するように形成されているため、収納されたバストの下部は下側パネル部分３の膨出部分によって上に押し上げられ、カップ２の窪み１２に乳首が入り込み、カップ２の胸元側である内側半分がバストによって固定される。
【００３３】
この状態で肩紐１０がカップ２の脇側端部９を上に引き上げるため、カップ２の内側半分を中心に下側パネル部分３に設けられた縦折り溝６からカップ２が軽く内側に縦折りされ、前述のように上に押し上げられたバストが更に両側から押されてカップ２の上辺８から上に溢れ、同時にカップ２の内側に於いてバストの一部がカップ２の内側に流れる。
【００３４】
胸元側パネル部分５は前述のように内側から見ると略三角形状で、カップ２の内側に膨出するように形成され、胸元側パネル部分５の下側パネル部分３及び上側パネル部分４との縦方向に伸びた境界面１１は下側パネル部分３及び上側パネル部分４に対して壁状に形成されており、その境界に浅い線状の縦溝２２が形成され、折れやすくなっているためこの部分でも軽く屈曲する。その結果、壁状の境界面１１は下側パネル部分３及び上側パネル部分４に対して少し内側に折れたの縦溝２２から急角度に立ち上がり、内側に流れたバストを押し戻す。押し戻されたバストは胸元に於いてカップ２の上辺８から上に溢れ、これによって、くっきりとした谷間を胸元に作ることが出来る。
【００３５】
また、カップ２に収納されたバスト（贅肉）は脇側に流れる場合もあり、その場合は補助脇布２５が脇側に流れたバストを上から押さえこんでカップ２の脇からの盛り上がりを押さえる。これによりバスト全体が美しく整えられる。本考案に於いて、縦折り溝６及び縦溝２２もカップ２の半球形状を損なうような大きく曲がるものではないため、カップ２の丸みは損なわれるようなことはない。
【００３６】
なお、下辺部材１３が調整布部１６を含む場合、調整布部１６は縦方向の糸が例えばスパンデックスのような伸縮性素材で形成されているため、バストのボリュームが豊かな場合、バストに合わせて調整布部１６が縦方向に伸び余分な量を吸収する。その結果、カップサイズは大中小の３種類程度で足ることになり、製品サイズの種類を少なくできる。
【００３７】
婦人下着１がキャミソールの場合は、カップ２の部分はブラジャーと同様に働く。また、短い布片１５は前述のようにサイドパネル１５と同じ働きをし、カップ２を身頃２０（２１）を介して締め付ける。
【符号の説明】
【００３８】
１…婦人下着、２…カップ、３…下側パネル部分、４…上側パネル部分、５…胸元側パネル部分、６…縦折り溝、７…下辺、７ａ…脇側端部、７ｂ…中央部分、８…上辺、９…脇側端部、１０…肩紐、１０ａ…バスト側端部、１１…境界面、１２…窪み、１３…下辺部材、１３ａ…テープ状物、１４…脇側下辺、１５…サイドパネル、１６…調整布部、１７…連結部分、１８…フック、１９…被係止具、２０…前身頃、２１…後見頃、２２…縦溝、２４…接続片部、２５…補助脇布。
【図１】
0003202589.tif 000003
【図２】
0003202589.tif 000004
【図３】
0003202589.tif 000005
【図４】
0003202589.tif 000006
【図５】
0003202589.tif 000007